(57)【特許請求の範囲】
【請求項１】
箱体の両側から挟み込むようにして該箱体の両側面に取り付けられ、該箱体に形成されたボルト穴にボルトで固定される一対の回転フレームと、
前記一対の回転フレームの中央部外側に突出して設けられた回転軸と、
台車と、
前記台車に設けられ、前記箱体に取り付けられた回転フレームの回転軸が載置されるとともに、その載置された回転軸を軸支して前記箱体を回転自在に支持する一対の軸受と、
前記一対の軸受を前記台車に対して昇降させる軸受昇降手段と、
からなることを特徴とする箱体回転治具付き台車。
【請求項２】
前記回転フレームは、一方が他方に嵌入されて摺動自在に支持された複数のフレームで構成され、一方のフレームを他方のフレームに対して摺動させることにより、前記回転軸と直交する面内で拡縮自在に設けられていることを特徴とする請求項１記載の箱体回転治具付き台車。
【発明の詳細な説明】
【０００１】
【発明の属する技術分野】
本発明は箱体回転治具付き台車に係り、特に電気盤などのように横幅と高さが異なる箱体を選択的に直立又は横倒しすることができる箱体回転治具付き台車に関する。
【０００２】
【従来の技術】
電気盤などの箱状の機器を建屋内に搬入する場合、機器の高さが搬入口の高さを上回っている場合には、機器を横倒しした状態で搬入しなければならない。そして、従来は、クレーンなどの揚重機や建屋の天井部に設けられた吊り具を用いて機器を吊り上げ、横倒しするようにしていた。
【０００３】
【発明が解決しようとする課題】
しかしながら、上記従来の方法では、建屋の天井部に吊り具を取り付けなければならず、そのためには作業用足場設備を構築しなければならないという欠点がある。また、天井が低く、上部に十分な吊り代がない建屋では、揚重設備を使用した作業は行うことができず、このため、機器を分割した状態で搬入しなければならないという欠点がある。
【０００４】
本発明はこのような事情に鑑みてなされたもので、箱体を容易に直立、横倒しすることができる箱体回転治具付き台車を提供することを目的とする。
【０００５】
【課題を解決するための手段】
本発明は前記目的を達成するために、箱体の両側から挟み込むようにして該箱体の両側面に取り付けられ、該箱体に形成されたボルト穴にボルトで固定される一対の回転フレームと、前記一対の回転フレームの中央部外側に突出して設けられた回転軸と、台車と、前記台車に設けられ、前記箱体に取り付けられた回転フレームの回転軸が載置されるとともに、その載置された回転軸を軸支して前記箱体を回転自在に支持する一対の軸受と、前記一対の軸受を前記台車に対して昇降させる軸受昇降手段と、からなることを特徴とする。
【０００６】
本発明による箱体の横倒し作業は次のように行われる。まず、箱体の両側面に一対のフレームを取り付ける。次に、その箱体に取り付けられたフレームの回転軸を台車に設けられた軸受上に載置する。次に、軸受昇降手段を用いて軸受を上昇させる。これにより、箱体が浮き上がり軸受を介して回転自在に支持されるので、箱体を横倒しすることができる。このように、本発明によれば、容易に箱体を横倒しすることができる。
【０００７】
【発明の実施の形態】
以下添付図面に従って、本発明に係る箱体回転治具付き台車の好ましい実施の形態について詳説する。
図１は、本発明に係る箱体回転治具付き台車の実施の形態の構成を示す側面図である。
【０００８】
この箱体回転治具付き台車１０は、電気盤などの箱体１２を回転させて、直立又は横倒しするものである。そして、本実施の形態の箱体回転治具付き台車１０は、箱体１２に取り付けられる一対の回転フレーム１４、１４と（図２及び図３参照）、その回転フレーム１４、１４を回転自在に支持する台車１６とから構成されている。
【０００９】
回転フレーム１４は、矩形状に形成されている。この回転フレーム１４の中央部にはリブ１４Ａが配されており、そのリブ１４Ａの中心部には外側に向けて回転軸１８が突出して設けられている。
また、この回転フレーム１４の長手方向の両端部には取付部１４Ｂ、１４Ｂが形成されている。取付部１４Ｂ、１４Ｂは、図２に示すように、回転フレーム１４の両端を直角に折り曲げて形成されている。そして、この取付部１４Ｂ、１４Ｂには、図１〜図３に示すように、回転フレーム１４を箱体１２にボルト２０、２０で固定するための挿通穴２２、２２が形成されている。
【００１０】
ここで、この回転フレーム１４が取り付けられる箱体１２には、その上面と下面の四隅に予めボルト穴２４、２４、…が形成されている。前記回転フレーム１４は、この予め形成されているボルト穴２４、２４、…を利用して箱体１２に取り付ける。すなわち、回転フレーム１４の取付部１４Ｂ、１４Ｂに形成されている挿通穴２２、２２の位置と、箱体１２に形成されているボルト穴２４、２４の位置とを位置合わせし、そのボルト穴２４、２４にボルト２０、２０を螺合させて回転フレーム１４を箱体１２に固定する。
【００１１】
なお、一般に電気盤等には、設置した電気盤等をベース等に固定するための固定用のボルト穴や、搬出入時に電気盤等を揚重機などで吊り上げるための吊り上げ用のボルト穴が形成されており、これらを有効に利用して回転フレーム１４を取り付けるとよい。
一方、台車１６は、コ字状に形成された本体フレーム２６の下部四隅にブレーキ付の車輪２８、２８、…が取り付けられて構成されている。本体フレーム２６上には、所定の間隔をもって一対の伸縮ポスト３０、３０が垂直に立設されている。この伸縮ポスト３０は、内管３０Ａと外管３０Ｂとから構成されており、内管３０Ａを外管３０Ｂに沿って摺動自在させることにより、上下方向に伸縮する。なお、この内管３０Ａは、本体フレーム２６に配設されたジャッキ３２を駆動することにより外管３０Ｂに沿って上下動する。そして、このジャッキ３２は、ジャッキ駆動ハンドル３４を回転させ駆動される。
【００１２】
前記のごとく伸縮する伸縮ポスト３０、３０の上端部には、それぞれ軸受３６、３６が設けられている。この軸受３６は、角形のブロック状に形成されており、その上面部にはＵ字状の軸受溝３６Ａが形成されている。前記回転フレーム１４に設けられた回転軸１８は、この軸受３６の軸受溝３６Ａに載置されて回動自在に支持される。
【００１３】
前記のごとく構成された本実施の形態の箱体回転治具付き台車１０の作用は次のとおりである。
まず、箱体１２の両側面部に回転フレーム１４、１４を取り付ける。すなわち、まず、箱体１２の両側面部に回転フレーム１４、１４をあてがい、その回転フレーム１４の取付部１４Ｂ、１４Ｂに形成されている挿通穴２２、２２を箱体１２側に形成されているボルト穴２４、２４に合わせる。そして、その位置合わせされた挿通穴２２、２２にボルト２０、２０を挿通し、箱体１２側に形成されているボルト穴２４、２４に螺合させる。これにより、箱体１２の両側面部に回転フレーム１４、１４が取り付けられる。
【００１４】
次に、台車１６を移動させ、その台車１６に設けられている軸受３６、３６を箱体１２に取り付けた回転フレーム１４、１４の回転軸１８、１８の下側に位置させる。そして、台車１６の車輪２８、２８、２８、…に取り付けられているブレーキをかけて、台車１６を固定する。
次に、ジャッキ３２をジャッキ駆動ハンドル３４で操作して伸縮ポスト３０を伸張させる。これにより、軸受３６、３６が上昇する。そして、この軸受３６、３６が上昇することにより、箱体１２に取り付けられた回転フレーム１４、１４の回転軸１８、１８が軸受３６、３６の上面に形成され軸受溝３６Ａ、３６Ａに嵌まる。そして、さらに軸受３６、３６が上昇することにより回転軸３６、３６が軸受３６、３６によって持ち上げられ、この結果、箱体１２が設置面から浮き上がる。これにより、箱体１２が台車１６上に載置されるとともに、回転軸３６、３６を介して回動自在に支持される。
【００１５】
この後、箱体１２を搬送する場合は、台車１６の車輪２８、２８、２８、…にかけられているブレーキを解除し、台車１６ごと移動させる。この場合、途中、高さが低い搬入口があっても、箱体１２を横倒しした状態で搬送することができるので、問題なく搬送することができる。
目的地に到達したら、台車１６の車輪２８、２８、２８、…にブレーキをかけてロックし、目的に応じて箱体１２を直立又は横倒しする。そして、ジャッキ３２をジャッキ駆動ハンドル３４で操作して伸縮ポスト３０を収縮させる。これにより、軸受３６、３６が下降する。そして、この軸受３６、３６が下降することにより、箱体１２も下降し、この結果、箱体１２が着地する。箱体１２の着地後も更に軸受３６、３６を下降させると、回転軸１８、１８から軸受３６、３６が外れるので、この後、台車１６の車輪２８、２８、２８、…にかけられているブレーキを解除して台車１６を箱体１２から抜き取る。そして、この台車１６を抜き取ったあと、箱体１２に取り付けられている回転フレーム１４、１４を取り外す。これにより、箱体１２の設置が完了する。
【００１６】
このように本実施の形態の箱体回転治具付き台車１０によれば、揚重設備を使用しなくとも、簡単に箱体１２を直立、横倒しすることができる。したがって、天井が低く狭隘な場所でも、容易に箱体１２の搬送作業を行うことができる。
なお、上記の使用例では、本実施の形態の箱体回転治具付き台車１０を用いて箱体１２を搬送するようにしているが、本実施の形態の箱体回転治具付き台車１０は、箱体１２を横倒し又は直立させるためだけの装置として用いてもよい。
【００１７】
また、上記の実施の形態の箱体回転治具付き台車１０の回転フレーム１４は、箱体１２の上面及び下面に形成されたボルト穴を利用して箱体１２に取り付けるようにしているが、箱体１２の側面部にボルト穴が形成されている場合は、この側面部のボルト穴を利用して取り付けるようにしてもよい。すなわち、箱体１２に形成されているボルト穴ならば、どのボルト穴を利用して取り付けるようにしてもよい。また、この回転フレーム１４を取り付けるための専用のボルト穴を箱体１２に予め形成しておいてもよい。
【００１８】
また、本実施の形態の箱体回転治具付き台車１０は、伸縮自在な伸縮ポスト３０とジャッキ３２を用いて軸受３６を昇降させる構成としているが、軸受３６を昇降させる構造は、これに限定されるものではない。この他、油圧シリンダを用いて昇降させてもよいし、油圧シリンダで駆動されるパンタグラフ機構などを用いて昇降させるようにしてもよい。
【００１９】
さらに、上記の実施の形態の箱体回転治具付き台車１０は、本体フレーム２６が所定の寸法で形成されているため、所定の寸法の箱体を回転させる場合にしか対応することができないが、本体フレーム２６の横幅を拡縮自在に構成することにより、一台で大小様々な寸法の箱体に対応することができる。
また、上記同様、回転フレーム１４が一定の大きさであるため、所定の寸法の箱体を回転させる場合にしか対応することができないが、図４に示すように、回転フレーム４０を拡縮自在に構成することにより、一台で大小様々な寸法の箱体に対応することができる。なお、この回転フレーム４０の構成は次のとおりである。
【００２０】
図４に示すように、十字状に形成された中央フレーム４２の中心部には回転軸１８が固着されている。この中央フレーム４２の上下の腕部４２ａ、４２ａには、Ｔ字状に形成された上下フレーム４４、４４の脚部４４ａ、４４ａが嵌入されて摺動自在に支持されている。また、この中央フレーム４２の左右の腕部４２ｂ、４２ｂには、Ｔ字状に形成されたサイドフレーム４６、４６の脚部４６ａ、４６ａが嵌入されて摺動自在に支持されている。
【００２１】
前記サイドフレーム４６、４６の左右の腕部４６ｂ、４６ｂ、４６ｂ、４６ｂには、Ｌ字状に形成されたコーナーフレーム４８、４８、４８、４８の腕部４８ａ、４８ａ、４８ａ、４８ａが嵌入されて摺動自在に支持されている。そして、このコーナーフレーム４８、４８、４８、４８の脚部４８ｂ、４８ｂ、４８ｂ、４８ｂは、前記上下フレーム４４、４４の左右の腕部４４ｂ、４４ｂ、４４ｂ、４４ｂが嵌入されて摺動自在に支持されている。
【００２２】
前記のごとく構成された回転フレーム４０は、上下フレーム４４を中央フレーム４２の上下の腕部４２ａに沿って上下方向に摺動させることにより、上下方向の幅が拡縮する。そして、サイドフレーム４６を中央フレーム４２の左右の腕部４２ｂに沿って横方向に摺動させることにより、横方向に幅が拡縮する。これにより、回転フレーム４０を任意の寸法に拡縮することができ、この結果、大小様々な寸法の箱体に対応することができる。
【００２３】
なお、摺動させたフレームは、セットスクリュウ５０、５０、…によって他方側のフレームに固定する。
なお、上記は回転フレームを拡縮させる構造の一例に過ぎず、他の構造によって拡縮させるようにしてもよい。
【００２４】
【発明の効果】
以上説明したように、本発明に係る箱体回転治具付き台車によれば、揚重設備を使用しなくとも、簡単に箱体を回転させて直立、横倒しすることができる。したがって、天井が低く狭隘な場所でも、容易に箱体の搬送作業を行うことができる。
【図面の簡単な説明】
【図１】本発明に係る箱体回転治具付き台車の実施の形態の構成を示す側面図
【図２】箱体に取り付けられた回転フレームの構成を示す側面図
【図３】箱体に取り付けられた回転フレームの構成を示す平面図
【図４】回転フレームの他の実施の形態の構成を示す側面図
【符号の説明】
１０…箱体回転治具付き台車、１２…箱体、１４、４０…回転フレーム、１６…台車、１８…回転軸、２０…ボルト、２２…挿通穴、２４…ボルト穴、２６…本体フレーム、３０…伸縮ポスト、３２…ジャッキ、３４…ジャッキ駆動ハンドル、３６…軸受
【図１】
0003714019.tif 000002
【図２】
0003714019.tif 000003
【図３】
0003714019.tif 000004
【図４】
0003714019.tif 000005